(57)【特許請求の範囲】
【請求項１】
円周に沿って螺旋状の記録トラックが設けられ、内周側から外周側に向けて順にＰＣＡ（Power calibration area）、ＰＭＡ（Program memory area）、Ｌin、プログラムエリア、Ｌoutの各領域に分けられており、前記Ｌin領域にはアドレス情報と記録再生に必要な制御情報がプリフォーマット情報として蛇行したプリグルーブ（案内溝）に重畳されており、前記プリグルーブ（案内溝）が、所定周波数を有する基準信号に前記アドレス情報と制御情報とが合成された信号に基づいて蛇行状にウォブルされており、情報が記録可能な光情報記録媒体において、
前記制御情報が重畳されたＬin領域の蛇行状にウォブルされている所定周波数が、データを記録するＰＣＡ，ＰＭＡ，プログラムエリアの各領域の蛇行状にウォブルされている所定周波数よりも低く、かつ前記Ｌin領域の蛇行したプリグルーブ（案内溝）に、記録可能な光情報記録媒体のタイプを示す認識コード情報が重畳されていることを特徴とする光情報記録媒体。
【請求項２】
請求項１記載の情報が記録可能な光情報記録媒体において、データを記録する領域から制御情報が重畳されたＬin領域に蛇行状にウォブルされている所定周波数が切り換わる場合、この切り換わり部分の前記所定周波数が徐々に低下して、制御情報が重畳されたＬin領域の前記所定周波数と同じになり、制御情報が重畳されたＬin領域からデータを記録する領域に切り換わる場合、この切り換わり部分の前記所定周波数が徐々に増加して、データを記録する領域の前記所定周波数と同じになることを特徴とする光情報記録媒体。
【請求項３】
請求項２記載の情報が記録可能な光情報記録媒体において、蛇行状にウォブルされている所定周波数が切り換わる領域のアドレス情報がインクリメントせず、固定であることを特徴とする光情報記録媒体。
【請求項４】
請求項１乃至３の何れか一つに記載の光情報記録媒体の製造時における原盤露光方法であって、プリグルーブが所定周波数を有する基準信号に基づいて蛇行状にウォブルされている場合、前記Ｌin領域の蛇行状にウォブルされている所定周波数の変化に合わせてこの基準信号の周波数を変化させるため、原盤露光時に前記基準信号の周波数を固定し、露光線速度を変化させることを特徴とする光情報記録媒体の原盤露光方法。
【請求項５】
請求項１乃至３の何れか一つに記載の光情報記録媒体の製造時における原盤露光方法であって、プリグルーブが所定周波数を有する基準信号に基づいて蛇行状にウォブルされている場合、前記Ｌin領域の蛇行状にウォブルされている所定周波数の変化に合わせてこの基準信号の周波数を変化させるため、原盤露光時に前記基準信号の周波数をプリグルーブの記録線密度に合わせて変化させ、露光線速度を固定することを特徴とする光情報記録媒体の原盤露光方法。
【発明の詳細な説明】
【０００１】
【発明の属する技術分野】
本発明は、光ディスク、光カード等の光情報記録媒体、特にプリフォーマット情報がプリグルーブに重畳された光情報記録媒体と、そのデータ記録方法及び原盤露光方法に関する。
【０００２】
【従来の技術】
近年、読み出し専用のコンパクトディスク（ＣＤ）等の光情報記録媒体に加えて、記録可能なＣＤ（ＣＤ−ＲやＣＤ−Ｅ）が実用化されているが、ＣＤ−ＲやＣＤ−Ｅは、追記後、読み出し専用のＣＤと互換性（ＣＤプレーヤで再生が可能）を有している。ＣＤ−ＲやＣＤ−Ｅの特徴は、特開平６−７６３６３号公報に開示されているように、案内溝（プリグルーブ）が所定周波数を有する基準信号とプリフォーマット情報（アドレス情報）が合成された信号に基づいて、図１３に示すように蛇行状にウォブルされている点である。記録ドライブでは、プリフォーマット情報を特開平７−１６９０５２号公報に開示されているような再生手段によって復調し、このプリフォーマット情報に基づいて記録再生を行う。ここで、図１１に従来の読み出し専用のＣＤの構成例、図１２に従来の記録可能なＣＤ−ＲやＣＤ−Ｅの構成例を示すが、ＣＤ−ＲやＣＤ−Ｅでは、図１１に示すＣＤの場合のＴＯＣ（Table of contents）に相当する場所（図１２のＬin）に、スペシャルインフォメーションと呼ばれる記録再生に関する制御情報が記録されている。ＣＤ−ＲやＣＤ−Ｅを追記した時、記録ドライブは同時にＴＯＣ情報を記録することにより、ＣＤプレーヤでの再生が可能となる。また、ＣＤ−ＲやＣＤ−ＥではＰＣＡ（Power calibration area）とＰＭＡ（Program memory area）と呼ばれる領域がある。ＰＣＡは記録ドライブで試し記録をするための領域であり、ＰＭＡは光情報記録媒体のメモリ使用状況を記録するための領域である。
【０００３】
前記プリフォーマット情報は記録データ情報よりも低い周波数を有する基準信号と合成されている。このため、図１４に示す信号検出回路のように、基準信号の周波数よりも高いハイパスフィルタ（ＨＰＦ）をＥＦＭ復調器の前段に設ければ、ＲＦ信号から検出される追記された情報は、基準信号の影響を受けずに再生することができる。また、プッシュプル（Push-pull ）信号から検出されるプリフォーマット情報の再生では、基準信号の周波数に合わせたバンドパスフィルタ（ＢＰＦ）をＦＭ復調器の前段に設ければ、逆にデータ信号の影響を受けずに再生することができる。一般的に蛇行状にウォブルする基準信号の周波数は数十キロヘルツ、記録データ信号の最小ビットは数メガヘルツである。
【０００４】
【発明が解決しようとする課題】
光ディスクには、読み取り専用のＲＯＭと記録可能なＲＡＭとが存在する。ＲＡＭであるＣＤ−ＲやＣＤ−Ｅは、記録後、ＲＯＭプレーヤ（再生専用ドライブ）で信号再生できる光ディスクである。従来技術で述べたように、ＣＤ−ＲやＣＤ−Ｅの記録再生ドライブでは、プリグルーブに重畳されたプリフォーマット情報を基に記録再生を行う。そして、データを記録する際に同時にＴＯＣ情報を記録するので、記録されたＣＤ−ＲやＣＤ−ＥはＲＯＭプレーヤで信号再生することができる。
【０００５】
現在、ＣＤよりも大容量の光ディスクが検討されているが、大容量化するためにはトラックピッチを小さくし、記録ピットのビットサイズを短くする必要がある。大容量光ディスク用のプレーヤでは、ビームスポット径を小さくするためにＣＤ系で使用されている波長７８０ｎｍ、ＮＡ＝０．５の光ピックアップよりも短波長、高ＮＡ（波長６３５〜６８５ｎｍ、ＮＡ＝０．６程度）の光ピックアップが採用される。このように、トラックピッチが狭くビットサイズが小さい大容量光ディスクを、従来のＣＤ系のＲＯＭプレーヤやＲＡＭプレーヤ（記録再生ドライブ）にローディングしても、ビームスポット径が大きいために信号再生をすることができないという問題がある。
【０００６】
本発明は上記事情に鑑みなされたものであって、その目的は以下の通りである。
本発明の目的は、従来方式の問題を解決すべく、プリフォーマット情報を正確に再生することができる光情報記録媒体を提供することである。
また、本発明の目的は、従来方式の問題を解決すべく、プリフォーマット情報を正確に再生することができる光情報記録媒体を提供すること、及び光情報記録媒体のスタンパ原盤露光手段を容易にすることである。
さらに本発明の目的は、従来方式の問題を解決すべく、プリフォーマット情報を正確に再生することができる光情報記録媒体のデータ記録方法を提供することである。
さらにまた本発明の目的は、光情報記録媒体のスタンパ原盤露光手段を容易にする原盤露光方法を提供することである。
【０００７】
【課題を解決するための手段】
上記目的を達成するため、請求項１記載の発明では、円周に沿って螺旋状の記録トラックが設けられ、内周側から外周側に向けて順にＰＣＡ（Power calibration area）、ＰＭＡ（Program memory area）、Ｌin、プログラムエリア、Ｌoutの各領域に分けられており、前記Ｌin領域にはアドレス情報と記録再生に必要な制御情報がプリフォーマット情報として蛇行したプリグルーブ（案内溝）に重畳されており、前記プリグルーブ（案内溝）が、所定周波数を有する基準信号に前記アドレス情報と制御情報とが合成された信号に基づいて蛇行状にウォブルされており、情報が記録可能な光情報記録媒体において、前記制御情報が重畳されたＬin領域の蛇行状にウォブルされている所定周波数が、データを記録するＰＣＡ，ＰＭＡ，プログラムエリアの各領域の蛇行状にウォブルされている所定周波数よりも低く、かつ前記Ｌin領域の蛇行したプリグルーブ（案内溝）に、記録可能な光情報記録媒体のタイプを示す認識コード情報が重畳されている構成とした。
【０００８】
請求項２記載の発明では、請求項１記載の情報が記録可能な光情報記録媒体において、データを記録する領域から制御情報が重畳されたＬin領域に蛇行状にウォブルされている所定周波数が切り換わる場合、この切り換わり部分の前記所定周波数が徐々に低下して、制御情報が重畳されたＬin領域の前記所定周波数と同じになり、制御情報が重畳されたＬin領域からデータを記録する領域に切り換わる場合、この切り換わり部分の前記所定周波数が徐々に増加して、データを記録する領域の前記所定周波数と同じになる構成とした。
また、請求項３記載の発明では、請求項２記載の情報が記録可能な光情報記録媒体において、蛇行状にウォブルされている所定周波数が切り換わる領域のアドレス情報がインクリメントせず、固定である構成とした。
【００１２】
請求項４記載の発明は、請求項１乃至３の何れか一つに記載の光情報記録媒体の製造時における原盤露光方法であって、プリグルーブが所定周波数を有する基準信号に基づいて蛇行状にウォブルされている場合、前記Ｌin領域の蛇行状にウォブルされている所定周波数の変化に合わせてこの基準信号の周波数を変化させるため、原盤露光時に前記基準信号の周波数を固定し、露光線速度を変化させるようにした。
【００１３】
請求項５記載の発明は、請求項１乃至３の何れか一つに記載の光情報記録媒体の製造時における原盤露光方法であって、プリグルーブが所定周波数を有する基準信号に基づいて蛇行状にウォブルされている場合、前記Ｌin領域の蛇行状にウォブルされている所定周波数の変化に合わせてこの基準信号の周波数を変化させるため、原盤露光時に前記基準信号の周波数をプリグルーブの記録線密度に合わせて変化させ、露光線速度を固定するようにした。
【００１４】
【発明の実施の形態】
以下、本発明の実施の形態を図面を参照して詳細に説明する。まず、本発明による光情報記録媒体の構成例及び製造方法について説明する。
【００１５】
（構成▲１▼）
図１は本発明に係る円盤状の光情報記録媒体（光ディスク）のフォーマット及びプリグルーブ（及びそのプリグルーブに記録された記録ピット）の構成説明図である。図１において、光情報記録媒体１には円周に沿って螺旋状の記録トラックが設けられ、内周側から外周側に向けて順にＰＣＡ、ＰＭＡ、Ｌin、プログラムエリア（Ｐrogram Ａrea）、Ｌoutの各領域に分けられている。光情報記録媒体１のＬin領域にはアドレス情報と記録再生に必要な制御情報（推奨記録パワー、記録可能なアドレス範囲、記録ストラテジ条件、媒体の種類など）がプリフォーマット情報として蛇行したプリグルーブに重畳されている。このプリグルーブは所定周波数を有する基準信号に前記アドレス情報と制御情報とが合成された信号に基づいて蛇行状にウォブルされている（図２〜４参照）。プログラムエリアはプリグルーブで構成されており、データを記録することが可能な領域である。光情報記録媒体１のプリグルーブは螺旋状に配列されていて、プリグルーブに重畳されたアドレス情報はＰＣＡ、ＰＭＡ、Ｌin、プログラムエリアの間で連続している。
記録再生ドライブ（記録再生プレーヤと同じ）では、光情報記録媒体１の前記プリフォーマット情報（ウォブルの周波数信号）に同期して、光情報記録媒体の回転数とデータを記録するパルスを制御して記録及び再生が行われる。
また、記録条件は、プリグルーブに重畳された制御情報を基にして行われる。
【００１６】
光情報記録媒体では、記憶容量を高めるためにトラックピッチを狭く、記録ピットのビットの長さ（ビットサイズ）を小さくする（線密度を高める）手法が取られる。また、従来方式の問題点で説明したように、光情報記録媒体の大容量化に伴い、記録再生するための光ピックアップのビームスポットサイズも小径化する。すなわち、記録再生を安定に行うためには、少なくともトラックピッチよりも小さいビームスポット径が必要となる。また、ビームスポットサイズが大容量化されていないプレーヤで大容量化された光情報記録媒体を記録再生することができないため、このようなプレーヤでは大容量化された光情報記録媒体のプリフォーマット情報から光情報記録媒体の認識ができない。
【００１７】
そこで、大容量化された光情報記録媒体でも部分的にビームスポットサイズが大きいプレーヤでも再生できる領域を設け、この部分に光情報記録媒体の制御情報を含むプリフォーマット情報を記録すれば、このプレーヤでも大容量化された光情報記録媒体の認識が可能となる。本発明では、この制御情報を含む領域のトラックピッチを広げ、ビームスポットサイズが大きいプレーヤでも再生することを可能にした。本発明の光情報記録媒体の物理的フォーマットの構成例を図２に示す。図２に示すように本発明の光情報記録媒体１では、Ｌin領域のトラックピッチ（ＴＰ２）はＰＣＡ、ＰＭＡ、プリグラムエリアのトラックピッチ（ＴＰ１）に比べてトラックピッチを広くしている。
【００１８】
（構成▲２▼）
前記構成▲１▼ではＬin領域のトラック方向の密度を下げて（トラックピッチを広くして）ビームスポットサイズが大きいプレーヤでも光情報記録媒体のプリフォーマット情報を再生しやすくしたが、Ｌin領域の記録線密度（図１に示す円盤状の光情報記録媒体では円周方向の線密度）を下げる、すなわち記録ピットのビットサイズを大きくすることでも、同じ効果が得られる。図３にＬin領域の記録線密度を下げた構成の光情報記録媒体の物理的フォーマットの構成例を示す。記録再生プレーヤでは、プリフォーマット情報（ウォブルの周波数信号）に同期して記録されるので、Ｌin領域のウォブルの信号周波数を下げることで、記録されるビットサイズを大きく（記録線密度を小さく）することができる。図３に示すように本構成の光情報記録媒体では、Ｌin領域の記録ピットの最小のビットサイズ（ＢＬ２）はプログラムエリアに記録される記録ピットの最小のビットサイズ（ＢＬ１）よりもビットが長く、しかもビットの間隔も広い。このため、大きいビームスポットでも再生がしやすい。この効果により、ビームスポットサイズが大きいプレーヤでも大容量化された光情報記録媒体のプリフォーマット情報を再生しやすくなる。
【００１９】
（構成▲３▼）
光情報記録媒体が、図２に示したＬin領域のトラックピッチを広くした構成、そして図３に示したＬin領域の記録線密度を下げた構成の両方を備えた構成（構成▲１▼と構成▲２▼を組み合わせた構成）にすれば、さらにプリフォーマット情報を再生しやすくなり、高い効果が得られることは明白である。図４にＬin領域のトラックピッチを広くし、尚且つＬin領域の記録線密度を下げた構成の光情報記録媒体の物理的フォーマットの構成例を示す。
【００２０】
（構成▲４▼）
次に、図５は光情報記録媒体を実際に製造する際の基板成型金型（以降、スタンパと呼ぶ）の製造工程を示すフロー図である。以下、図５に沿ってスタンパの製造工程を説明する。
１．まず、円盤状のガラス基板２ａにフォトレジスト２ｂをスピンコートする（以降、ガラス基板２ａにフォトレジスト２ｂを塗布したものをレジスト原盤２と呼ぶ）。このフォトレジスト２ｂの膜厚は、ガラス基板２ａに形成するプリグルーブの溝深さと等しい。
２．次に、このレジスト原盤２をＡｒガスレーザを用いた原盤露光機でカッティングする。図６に原盤露光機の構成を簡単に示す。原盤露光機５によるカッティングは、図６に示すようにレジスト原盤２を横送り機構のキャリッジ７に搭載されたターンテーブル６に載せ、ターンテーブル６によりレジスト原盤２を回転させ、キャリッジ７で横に送りながらＡｒガスレーザを対物レンズ１０で集光させて露光する。このように露光することで、溝はスパイラル状に形成できる。また原盤露光機５には、ＡｒガスレーザをＯＮ／ＯＦＦするためのパルス変調器８、プリグルーブを蛇行状にウォブルするためのウォブル偏向器９が、Ａｒガスレーザの光軸上に備わっている。このような原盤露光機５でレジスト原盤２に溝の潜像を形成する。
３．レジスト原盤２に溝の潜像を形成した後、現像をすることでレジスト原盤２に溝のパターンを形成することができる。
４．次に、レジスト原盤２上に導電皮膜としてＮｉ膜３をスパッタする。
５．Ｎｉ膜３のスパッタ後、Ｎｉ電鋳処理を施す。
６．この電鋳されたもの３’を剥離・洗浄・裏面研磨・内外径加工することで、表面に溝パターンを有するスタンパ４が完成する。
【００２１】
本発明のスタンパ（前述の▲１▼と▲２▼と▲３▼の構成）を製造する際に問題になるのが、トラックピッチが切り換わる部分である。一般に原盤露光機５のターンテーブル６の回転数と、トラックピッチの大きさを決めるキャリッジ７の横送りスピードを瞬時に変更することは困難である。これは、レジスト原盤２をチャッキングするターンテーブル６の重さによる慣性の影響が大きいためである。そこで、トラックピッチと記録線密度が切り換わる領域では、徐々にその数値を変えていくことが望ましい。図７に本発明の構成を示す。
図７に示す構成では、ＰＭＡからＬin領域に切り換わる場合、トラックピッチ（ＴＰ）が徐々に広がりそして記録線密度も徐々に低下（ビットサイズ（ＢＬ）を長く）している。また、Ｌin領域からプログラムエリアに切り換わる場合も、トラックピッチ（ＴＰ）が徐々に狭くなり、そして記録線密度も徐々に増加（ビットサイズ（ＢＬ）を短く）している。
また、前記切り換わり領域の記録線密度を徐々に変化させているので、記録再生用プレーヤが仮に光情報記録媒体のトラックピッチが切り換わる領域にシークしてしまった場合でも、プリフォーマット情報を全く再生できない最悪のケースは発生しにくくなる。
【００２２】
（構成▲５▼）
次に、原盤露光機の制御システムの構成例を図８に示す。原盤露光機５の制御システムは、基準パルス生成器１２、ターンテーブル６の回転数を制御するＴＴ駆動パルス生成回路１３、トラックピッチの大きさを制御するキャリッジ７の横送りモータ駆動パルス生成回路１４、パルス変調器８を制御してレーザ光のＯＮ／ＯＦＦを行うための光のＯＮ／ＯＦＦ制御回路１５、ウォブル偏向器９を制御してプリグルーブのウォブル量と信号パターンを生成するためのウォブル信号生成回路１６、対物レンズ１０のフォーカスアクチュエータを制御するフォーカスサーボ回路１７、レーザスケールユニット１９を制御してレジスト原盤２上での露光位置を検出する露光位置検出回路１８、及びこれらの回路を制御する中央処理装置（ＣＰＵ）１１で構成されている。また、ＴＴ駆動パルス生成回路１３、横送りモータ駆動パルス生成回路１４、ウォブル信号生成回路１６の３つの回路は、基準パルス生成器１２からの共通の基準信号で動作しており、これにより原盤露光時（プリフォーマット情報のデータ記録時）の回転・横送り・ウォブルのパターンの同期が取られる。
【００２３】
前述の構成▲４▼で説明した図７の構成を実現するには、２つの原盤露光方法がある。一つは、プリグルーブを蛇行させるためのウォブル信号を一定の周波数で動作し、トラックピッチを変更させるためのキャリッジ７の横送りスピードとターンテーブル６の回転数（露光線速度）を変化させる方法である。この場合、溝形状を光情報記録媒体の面内で一定とするためには、露光線速度の変化に応じて露光するレーザの光量も変化させる必要がある。この方法のときの原盤露光時の各制御信号の構成を図９に示す。
尚、図９の場合、光情報記録媒体の記録再生時に線速度一定方式を採用しているので、光情報記録媒体の半径位置に合わせて、ターンテーブル６の回転数を外周に向かって一様に下げている。
【００２４】
もう一つは、プリグルーブを蛇行させるためのウォブル信号、そしてトラックピッチを変化させるための横送りスピードを変化させる方法である。この場合は、露光線速度の変化がないため、露光するレーザの光量は一定でよい。この方法のときの原盤露光時の各制御信号の構成を図１０に示す。図１０では、プリグルーブを蛇行させるためのウォブル信号及びトラックピッチを変化させるための横送りスピードをＬin領域で変化させるが、この場合も光情報記録媒体の記録再生時に線速度一定方式を採用しているので、光情報記録媒体の半径位置に合わせて、ターンテーブル６の回転数を外周に向かって一様に下げている。
【００２５】
図１０で示したように、ウォブル信号を変化させるためには、共有している基準信号を基にウォブル信号の基準周波数を生成し、この周波数を変化させて変調の演算処理をする必要がある。しかし、この演算処理に要する時間が原盤露光するスピードに追いつかない可能性もある。そこで、この切り換わり領域のアドレスをインクリメントせずにホールド（固定）して出力し、Ｌin領域のプリフォーマット情報を演算するための準備時間に使う方が、正確にＬin領域のプリフォーマット情報を生成することができる。また、Ｌin領域からプログラムエリアに切り換わる場合も同じである。前記切り換わり領域のアドレスをホールドすることで、逆に記録再生プレーヤがアドレス情報から切り換わり領域を再生していることを知ることができる利点がある。
【００２６】
【実施例】
（実施例▲１▼）
本発明による光情報記録媒体の一実施例として、ＣＤ−Ｒを大容量化した場合の光情報記録媒体の実施例について説明する。光情報記録媒体のＰＣＡ、ＰＭＡ、プログラムエリアの各領域のトラックピッチＴＰ１は０．８μｍ、ウォブル振幅ＷＢ１は約２０ｎｍ、Ｌin領域のトラックピッチＴＰ２は１．６μｍ、ウォブル振幅ＷＢ２は約４０ｎｍである。また、プログラムエリアの記録線密度をＬin領域の記録線密度の２倍に構成することで、ＣＤ−Ｒの記録容量６５０メガバイドに対し、４倍の記憶容量（２．６ギガバイト）にすることができる。また、Ｌin領域の前後にあるトラックピッチと記録線密度の切り換わり部分は、徐々にトラックピッチと記録線密度が変化するようになっている。Ｌin領域には「プリグルーブをウォブルさせる」の手段で、プリフォーマット情報が記録されている。このプリフォーマット情報には、この光情報記録媒体がＣＤ−Ｒを大容量化したタイプであることを示す認識コードが入っている。このため、ＣＤ−Ｒ専用の記録再生プレーヤでも、この認識コードが再生でき、ＣＤ−Ｒを大容量化した光情報記録媒体であることが認識できる。この結果、誤って記録再生することなく、ＣＤ−Ｒを大容量化した光情報記録媒体を処理することが可能となる。尚、本実施例の光情報記録媒体の物理的フォーマットの構成は図４と同じである。
【００２７】
（実施例▲２▼）
実施例▲１▼の光情報記録媒体用スタンパの製造実施例について説明する。図８に示した原盤露光機５の制御システムの構成で、レジスト原盤露光時のターンテーブル６の回転数を制御するＴＴ駆動パルス生成回路１３、トラックピッチの大きさを制御する横送りモータ駆動パルス生成回路１４、プリグルーブのウォブル量と信号パターンを生成するためのウォブル信号生成回路１６の制御方法は、図９で示す手段を用いた。本実施例では、Ｌin領域でトラックピッチを広げるために、Ｌin領域の横送り速度は他の領域の２倍となっている。また、Ｌin領域のピット列の記録線密度を下げるために、Ｌin領域の露光線速度（ターンテーブル６の回転数）を他の領域の２倍とした。
【００２８】
【発明の効果】
以上説明したように、請求項１、２に記載の光情報記録媒体では、制御情報が重畳されたＬin領域の蛇行状にウォブルされている所定周波数が、データを記録するＰＣＡ，ＰＭＡ，プログラムエリアの各領域の蛇行状にウォブルされている所定周波数よりも低いので、Ｌin領域の記録密度が低く、記録再生のビームスポット径に対しプリフォーマット情報を再生しやすくできる。
【００３２】
請求項３に記載の光情報記録媒体では、請求項２の構成及び効果に加えて、蛇行状にウォブルされている所定周波数が切り換わるＬin領域の前後の部分において、アドレスを固定しているので、原盤露光時のアドレス生成に関係するプリフォーマット信号処理手段を容易にすることができる。
【００３８】
請求項４記載の光情報記録媒体の原盤露光方法では、請求項１乃至３の何れか一つに記載の光情報記録媒体の原盤を露光する方法として、ウォブル信号を生成する周波数を固定し、露光線速度を変化させるだけで、Ｌin領域の記録線密度を変化させることができるので、記録線密度の制御が容易である。
【００３９】
請求項５記載の光情報記録媒体の原盤露光方法では、請求項１乃至３の何れか一つに記載の光情報記録媒体の原盤を露光する方法として、露光線速度を固定し、ウォブル信号を生成する周波数を変化させるだけで、Ｌin領域の記録線密度を変化させることができるので、記録線密度の制御が容易である。
【図面の簡単な説明】
【図１】本発明に係る円盤状の光情報記録媒体のフォーマット及びプリグルーブ、記録ピットの構成説明図である。
【図２】本発明に係る光情報記録媒体の物理的フォーマットの構成例を示す図である。
【図３】本発明に係る光情報記録媒体の物理的フォーマットの別の構成例を示す図である。
【図４】本発明に係る光情報記録媒体の物理的フォーマットのさらに別の構成例を示す図である。
【図５】光情報記録媒体を実際に製造する際の基板成型用金型（スタンパ）の製造工程を示すフロー図である。
【図６】本発明に係る光情報記録媒体のスタンパの製造時に用いられる原盤露光機の構成例を示す図である。
【図７】本発明に係る光情報記録媒体の各領域でのトラックピッチ（ＴＰ）とビットサイズ（ＢＬ）の変化を示す図である。
【図８】本発明に係る光情報記録媒体のスタンパの製造時に用いられる原盤露光機の制御システムの構成例を示す図である。
【図９】本発明に係る光情報記録媒体の原盤露光方法の説明図であって、原盤露光時の各制御信号の構成を示す図である。
【図１０】本発明に係る光情報記録媒体の原盤露光方法の説明図であって、原盤露光時の各制御信号の別の構成を示す図である。
【図１１】従来の読み取り専用の光情報記録媒体のフォーマット及びプリピット列の構成説明図である。
【図１２】従来の記録可能な光情報記録媒体のフォーマット及びプリグルーブ、記録ピットの構成説明図である。
【図１３】従来の蛇行状にウォブルされたプリグルーブの一例を示す図である。
【図１４】光情報記録媒体に記録されたプリフォーマット情報を再生する信号検出回路の一例を示す図である。
【符号の説明】
１      光情報記録媒体
２      レジスト原盤
２ａ    ガラス基板
２ｂ    フォトレジスト
３      Ｎｉ膜
４      スタンパ
５      原盤露光機
６      ターンテーブル
７      キャリッジ
８      パルス変調器
９      ウォブル偏向器
１０    対物レンズ
１１    中央処理装置（ＣＰＵ）
１２    基準パルス生成器
１３    ＴＴ駆動パルス生成回路
１４    横送りモータ駆動パルス生成回路
１５    光のＯＮ／ＯＦＦ制御回路
１６    ウォブル信号生成回路
１７    フォーカスサーボ回路
１８    露光位置検出回路
１９    レーザスケールユニット
ＢＬ１  プログラムエリアに記録される最小ピットのビットサイズ
ＢＬ２  Ｌin領域に記録される最小ピットのビットサイズ
ＴＰ１  プログラムエリアのプリグルーブのトラックピッチ
ＴＰ２  Ｌin領域のプリグルーブのトラックピッチ
ＷＢ１  Ｌin領域以外のプリグルーブのウォブル振幅
ＷＢ２  Ｌin領域のプリグルーブのウォブル振幅
【図１】
0003833329.tif 000002
【図２】
0003833329.tif 000003
【図３】
0003833329.tif 000004
【図４】
0003833329.tif 000005
【図５】
0003833329.tif 000006
【図６】
0003833329.tif 000007
【図７】
0003833329.tif 000008
【図８】
0003833329.tif 000009
【図９】
0003833329.tif 000010
【図１０】
0003833329.tif 000011
【図１１】
0003833329.tif 000012
【図１２】
0003833329.tif 000013
【図１３】
0003833329.tif 000014
【図１４】
0003833329.tif 000015